(57)【要約】【課題】ＩＰ変換処理において、黒挿入処理を行なうことができる液晶表示装置を提供する。【解決手段】本発明にかかる液晶表示装置１は、入力された映像信号に係る映像がインターレース方式からなる動画像である場合には、上下の走査線から補間信号を作成することなく、黒信号を補間信号として挿入する。ユーザの選択により、黒信号でなく上下の走査線から作成された補間信号を挿入することもできる。【選択図】図１
2008009182.tif 000002
【特許請求の範囲】
【請求項１】
映像信号を受信する受信部と、
前記映像信号に係る映像が静止画像であるか動画像であるかを検出する動き検出部と、
前記動き検出部が前記映像信号に係る映像がインターレース方式の動画像であることを検出した場合には、前記映像信号の飛越し操作部に黒信号を挿入する補間信号挿入部を備えることを特徴とする液晶表示装置。
【請求項２】
前記補間信号挿入部は、挿入する補間信号を黒信号とするか、或いは上下の走査線の信号に基づいて生成した信号とするかを、ユーザの選択に基づいて決定することを特徴とする請求項１記載の液晶表示装置。
【請求項３】
映像信号を受信する受信部と、
前記映像信号に係る映像が静止画像であるか動画像であるかを検出する動き検出部と、
前記動き検出部が前記映像信号に係る映像がインターレース方式の動画像であることを検出した場合には、前記映像信号の飛越し操作部に黒信号を挿入する補間信号挿入部と、
前記映像信号の表示サイズと映像を表示する液晶パネルの表示サイズとが異なるときに限り前記映像信号のサイズの変換を行なうサイズ変換部を備えることを特徴とする液晶表示装置。
【請求項４】
映像信号を受信する受信部と、
前記映像信号に係る映像が静止画像であるか動画像であるかを検出する動き検出部と、
前記動き検出部が前記映像信号に係る映像がインターレース方式の動画像であることを検出した場合には、前記映像信号の飛越し操作部に黒信号を挿入する補間信号挿入部と、
前記補間信号挿入部により補間信号として挿入された前記黒信号を用いて前記動き検出部の検出精度の評価を行なう動き検出評価部を備えることを特徴とする液晶表示装置。
【請求項５】
前記動き検出評価部は、前記動き検出部の検出精度の評価を行なう際にオーバードライブ機能を停止させることを特徴とする請求項４に記載の液晶表示装置。
【発明の詳細な説明】
【技術分野】
【０００１】
本発明は液晶表示装置に関し、特にＩＰ変換回路において黒挿入の画像処理を行なうことの可能な液晶表示装置に関する。
【背景技術】
【０００２】
インターレース方式の映像信号をプログレッシブ方式に変換する場合、飛び越し走査された部分の信号を補間する必要がある。特に動画像の場合には、前後の走査線の信号よりその画像の動きを予測して補間信号が作成されている。
【０００３】
また、近年画像表示装置に多く採用されている液晶表示装置（ＬＣＤ）においては、従来の画像表示装置に使用されてきたＣＲＴにおける画像の各フレームにつき一部の時間のみにおいて発光する、いわゆるインパルス型の表示方法と異なり、各フレームの全期間において発光する、いわゆるホールド型の表示方法が用いられている。そのため、ＬＣＤの特徴として、表示された画像は緩やかに消えていくという応答性の悪さがあり、これによりいわゆる「動画ボケ」という状態が生じやすいという問題があった。
【０００４】
このようなＬＣＤに特有の「動画ボケ」を解消するために、様々な方法が考えられている（例えば、特許文献１、２参照）。その１つとして、垂直走査周波数（日本等においては６０Ｈｚ、欧州等においては５０Ｈｚ）を倍増し、増加したフレーム数に応じて、既存の各フレーム間に黒挿入を行うという方法が考えられている。
【特許文献１】特開２００５−１７３５２５号公報
【特許文献２】特開２００３−１４３５５６号公報
【発明の開示】
【発明が解決しようとする課題】
【０００５】
しかしながら、特許文献１及び２などの液晶表示装置によると、ＩＰ変換後に倍速変換処理と黒挿入処理とを行なうため、回路構成が複雑化していた。
【０００６】
従って本発明は、ＩＰ変換処理において、黒挿入処理を行なうことができる液晶表示装置を提供することを目的とする。
【課題を解決するための手段】
【０００７】
本発明は、上記目的を達成するため、映像信号を受信する受信部と、前記映像信号に係る映像が静止画像であるか動画像であるかを検出する動き検出部と、前記動き検出部が前記映像信号に係る映像がインターレース方式の動画像であることを検出した場合には、前記映像信号の飛越し操作部に黒信号を挿入する補間信号挿入部を備えることを特徴とする液晶表示装置を提供する。
【０００８】
上記発明によれば、ＩＰ変換処理において、黒挿入処理を行なうため、回路構成を簡素化することができる。
【０００９】
また、本発明は、映像信号を受信する受信部と、前記映像信号に係る映像が静止画像であるか動画像であるかを検出する動き検出部と、前記動き検出部が前記映像信号に係る映像がインターレース方式の動画像であることを検出した場合には、前記映像信号の飛越し操作部に黒信号を挿入する補間信号挿入部と、前記映像信号の表示サイズと映像を表示する液晶パネルの表示サイズとが異なるときに限り前記映像信号のサイズの変換を行なうサイズ変換部を備えることを特徴とする液晶表示装置を提供する。
【００１０】
上記発明によれば、サイズ変換が不要な映像信号に対してサイズ変換処理を行なうことで生じる黒挿入処理の効果低減を防止することができる。
【００１１】
また、本発明は、映像信号を受信する受信部と、前記映像信号に係る映像が静止画像であるか動画像であるかを検出する動き検出部と、前記動き検出部が前記映像信号に係る映像がインターレース方式の動画像であることを検出した場合には、前記映像信号の飛越し操作部に黒信号を挿入する補間信号挿入部と、前記補間信号挿入部により補間信号として挿入された前記黒信号を用いて前記動き検出部の検出精度の評価を行なう動き検出評価部を備えることを特徴とする液晶表示装置を提供する。
【００１２】
上記発明によれば、黒挿入処理を動き検出精度の評価にも利用することができる。
【発明の効果】
【００１３】
本発明によれば、ＩＰ変換処理において、黒挿入処理を行なうため、回路構成を簡素化することができる。
【発明を実施するための最良の形態】
【００１４】
以下、図面を参照しながら本発明の実施の形態について説明する。
【００１５】
（液晶表示装置の構成）
図１は、本発明に係る液晶表示装置の内部構成を示すブロック図である。
【００１６】
本発明に係る液晶表示装置１は、信号入力回路１１と、映像検出回路１２と、動き検出回路１３と、1フィールド遅延回路１４と、フィールド内処理回路１５と、黒信号挿入回路１６と、補間信号選択回路１７と、選択信号回路１８と、フレーム生成回路１９と、Ｓｃａｌｉｎｇ回路２０と、倍速変換回路２１と、ＯＤＣ  ｏｆｆ回路２２と、ＬＣＤパネル２３と、動き検出精度評価回路２４とからなる。
【００１７】
信号入力回路１１は、アンテナ等を介したテレビ放送信号の受信や、外部端子等を介して接続された外部装置からの送信や、記憶装置に格納された映像信号の呼出し等により、映像信号を読み込むものである。
【００１８】
映像検出回路１２は、信号入力回路１１に入力された映像信号の画像サイズを検出するものである。なお、映像検出回路１２を設けずに、本機能をＳｃａｌｉｎｇ回路２０に持たせるものであってもよい。
【００１９】
動き検出回路１３は、信号入力回路１１に入力され、ＬＣＤパネル２３において表示しようとされている映像信号が、静止画像であるか動画像であるかの検出を行うためのものである。具体的には前後する２つのフレームの差分をとって比較し、その大小より静止画か動画かを判断する。
【００２０】
１フィールド遅延回路１４は、映像信号に係る映像が静止画の際に、1のフィールドにおける画像の補間信号としての1つ前のフィールドの信号を一時的に格納するためのものである。
【００２１】
フィールド内処理回路１５は、映像信号に係る映像が動画像の際に、1のフィールドにおける画像の補間のための補間信号を生成するためのものである。
【００２２】
黒信号挿入回路１６は、フィールド内処理回路１５で生成した補間信号の代わりに、黒信号を挿入するものである。
【００２３】
補間信号選択回路１７は、動き検出回路１３の検出結果によって映像信号が静止画像の場合には１フィールド遅延回路１４からの補間信号を選択し、映像信号が動画像である場合には黒信号挿入回路１６からの補間信号を選択するためのものである。
【００２４】
選択信号回路１８は、黒信号挿入回路１６における黒信号挿入の動作を行なうか否かの切替を行なうためのものであり、当該切替は自動若しくはユーザの選択により行なわれる。黒信号挿入の動作を行わないと選択した場合には、フィールド内処理回路１５で生成された補間信号がそのまま黒信号挿入回路１６より補間信号選択回路１７へと送信されることになる。
【００２５】
フレーム生成回路１９は、補間信号選択回路１７において選択された補間信号を用いて、インターレース方式の映像信号の補間を行い、プログレッシブ方式の映像信号を生成するものである。
【００２６】
Ｓｃａｌｉｎｇ回路２０は、受信した映像信号の画像サイズを、ＬＣＤパネル２３のサイズに併せて変更するものである。
【００２７】
倍速変換回路２１は、映像信号の垂直走査周波数を倍増し、映像信号のフレーム数を倍増するためのものである。
【００２８】
ＯＤＣ  ｏｆｆ回路２２は、ＬＣＤパネル２３におけるオーバードライブ処理の解除を行なうためのものである。
【００２９】
ＬＣＤパネル２３は、倍速変換回路２１から送信された映像信号に基づき、映像を表示するためのものである。
【００３０】
動き検出精度評価回路２４は、動き検出回路１３における動き検出処理の精度を評価するためのものである。
【００３１】
（黒信号挿入処理）
次に、本発明に係る液晶表示装置１における、黒信号挿入処理について説明する。
【００３２】
図２は、液晶表示装置１における黒信号挿入処理の様子を示す図である。
【００３３】
本発明に係る液晶表示装置１においては、インターレース方式の映像信号を受信した場合には、図２（ａ）に示すように奇数ラインの映像信号と、偶数ラインの映像信号とを、１フレーム毎に交互に受信することになる。
【００３４】
その際には、それぞれの飛び越し走査部には、図２（ｂ）に示すように補間信号として黒信号を挿入する。
【００３５】
ＩＰ変換時に飛び越し走査線に黒挿入を行うことにより、画面上のどの領域についてみても、常に５０％の割合で黒画像が挿入されていることになるので、いわゆる「動画ボケ」を防止することができる。
【００３６】
従って、倍速変換回路によりフレーム数を倍増した上で黒画像を挿入することなしに、補間信号として黒信号を挿入することで、動画ボケの防止は可能となる。
【００３７】
（動き検出精度の評価）
映像信号が動画像か静止画像かを判断するために、動き検出回路１３が動き検出処理を行なうが、この動き検出処理が正常に機能しているか否かのチェックのために、動き検出の精度を評価することがある。
【００３８】
従来、かかる評価のためのテストモードにおいては、映像の一部に黒の領域を設け、当該領域に対する周囲の映像の変化から映像の動きを判断し、それに対する検出結果とを比較し、動き検出の精度を評価していた。
【００３９】
本発明にかかる液晶表示装置１においては、上述のような方法により画像中に黒挿入がなされるので、動き検出精度評価回路２４は、別途映像の一部に黒領域を設ける代わりに、挿入された黒信号を用いて、動き検出の精度の評価を行なうことができる。
【００４０】
また、画像中に黒挿入がなされると、黒挿入の画像とその前後の画像との間の差分が大きくなるため、オーバードライブ機能を備えた液晶表示装置においては、そのオーバードライブ機能が発揮しやすくなる。
【００４１】
しかし、オーバードライブが効きすぎることが、上記テストモードにおいては副作用となり、充分な動き検出の精度の評価をなし得ない場合がある。
【００４２】
そこで、本発明にかかる液晶表示装置１においては、ＯＤＣ  ｏｆｆ回路２２を設けることで、オーバードライブ機能を停止することを可能とした。
【００４３】
（黒信号挿入モードの切替）
上述のように、本発明にかかる液晶表示装置１においては、補間信号として黒信号を挿入することで、「動画ボケ」の防止を可能にしている。
【００４４】
しかしながら、全画面の５０％の割合で黒信号が挿入されると、画面全体の明るさが、従来の半分にまで落ちてしまうという欠点もある。
【００４５】
そこで、かかる黒信号挿入処理を行なうか否かにつき、ユーザに選択可能とすることもできる。
【００４６】
図３は、黒信号挿入処理を行なうか否かをユーザが選択するためのＯＳＤ映像メニューの表示例である。
【００４７】
図３においては、画面上に映像選択メニューとして、黒信号挿入処理を「ＯＮ」にするか「ＯＦＦ」にするかを選択する画面が表示されている。ユーザはこの画面を見ながら、リモコン等を操作し、いずれかの選択を行うことができる。
【００４８】
映像選択メニューにおいて、ユーザが黒信号挿入処理をＯＦＦとした場合には、上述の黒信号挿入処理は行なわれない。この場合には、補間信号として黒信号を挿入する代わりに、その上下の走査線の信号を基に補間信号を生成して合成し、１のフレームを生成する。
【００４９】
図４は、黒信号挿入処理ＯＦＦ時の補間方法を示す図である。
【００５０】
図４（ａ）に示すようなインターレース方式の映像信号が受信されると、その上下の走査線の信号より補間信号が作成される（図４（ａ）のＡ）。そして、図４（ｂ）に示すように、補間信号を飛越し操作部に対して挿入することで、プログレッシブ方式の映像信号が得られることになる。
【００５１】
（スケーリング処理）
受信した映像信号の画像サイズと、ＬＣＤパネル２３の画像サイズは必ずしも一致しない。そのため、両者のサイズが異なる場合には、Ｓｃａｌｉｎｇ回路２０によるスケーリング処理が必要となる。
【００５２】
しかしながら、例えばＬＣＤパネル２３が画素数１９２０×１０８０のフルＨＤ規格のパネルである場合に、受信した映像信号が１０８０ｉである場合には、スケーリングなしに表示することが可能である。にもかかわらず、スケーリング処理を行なってしまうと、補間信号として黒信号を挿入した画像について、そのままの状態が維持されなくなり、挿入された部分がグレーになってしまう等、本来の効果を充分に発揮できなくなってしまう。
【００５３】
そこで、映像検出回路１２の検出結果により、受信した映像信号のサイズとＬＣＤパネル２３のサイズが同一であると判断された場合には、Ｓｃａｌｉｎｇ回路２０におけるスケーリング処理を行なわなくすることで、黒信号挿入の効果を最大限に発揮することが可能となる。
【００５４】
（実施の形態の効果）
上記した実施の形態によると、ＩＰ変換時に飛び越し走査線に黒挿入を行うことにより、画面上のどの領域についてみても、常に５０％の割合で黒画像が挿入されていることになるので、いわゆる「動画ボケ」を防止することができる。
【００５５】
また、黒挿入を行うかどうかをユーザーによって切替可能にしたため、映像に応じて所望の効果を得ることができる。
【００５６】
また、ＩＰ変換時に黒挿入を行うことで、動き検出の評価を行うことが可能となる。
【００５７】
また、受信する映像サイズに基づいてスケーリング回路の処理を行うため、ＩＰ変換時に黒挿入を行うことで黒挿入の効果が低減することを防ぐことができる。
【図面の簡単な説明】
【００５８】
【図１】本発明に係る液晶表示装置の内部構成を示すブロック図である。
【図２】液晶表示装置１における黒信号挿入処理の様子を示す図である。
【図３】黒信号挿入処理を行なうか否かをユーザが選択するためのＯＳＤ映像メニューの表示例である。
【図４】黒信号挿入処理ＯＦＦ時の補間方法を示す図である。
【符号の説明】
【００５９】
１、液晶表示装置  １１、信号入力回路  １２、映像検出回路  １３、動き検出回路
１４、１フィールド遅延回路  １５、フィールド内処理回路  １６、黒信号挿入回路
１７、補間信号選択回路  １８、選択信号回路  １９、フレーム作成回路
２０、Ｓｃａｌｉｎｇ回路  ２１、倍速変換回路  ２２、ＯＤＣ  ｏｆｆ回路
２３、ＬＣＤパネル  ２４、動き検出精度評価回路
【図１】
2008009182.tif 000003
【図２】
2008009182.tif 000004
【図３】
2008009182.tif 000005
【図４】
2008009182.tif 000006